(57)【要約】【課題】腕等への負担を減じ使い勝手を高める。【解決手段】腰掛け可能な椅子本体２と、この椅子本体２に設けられかつ着座者Ｕが把持可能な両手のグリップ部３と、このグリップ部３を該椅子本体から遠近に往復移動させる駆動部とを有することを特徴とする身体引き伸ばし用の椅子１である。【選択図】　図４
2004024339.tif 000002
【特許請求の範囲】
【請求項１】
腰掛け可能な椅子本体と、この椅子本体に設けられかつ着座者が把持可能な両手のグリップ部と、このグリップ部を該椅子本体から遠近に往復移動させる駆動部とを有することを特徴とする身体引き伸ばし用の椅子。
【請求項２】
前記グリップ部は、着座者が両手を緩く挙げた状態で把持しうる位置に設けられてなる請求項１記載の身体引き伸ばし用の椅子。
【請求項３】
前記グリップ部は、前記椅子本体の着座部から最も遠ざかる最遠方位置が変化するととともに、この最遠方位置を調節する調節手段が設けられてなる請求項１又は２記載の身体引き伸ばし用の椅子。
【請求項４】
前記グリップ部は、前記椅子本体の着座部に最も近づく最近接位置が変化するととともに、この最近接位置を調節する調節手段が設けられてなる請求項１乃至３のいずれかに記載の身体引き伸ばし用の椅子。
【請求項５】
前記調節手段は、前記グリップ部の往復移動のストロークを調整しうることを特徴とする請求項３又は４のいずれかに記載の身体引き伸ばし用の椅子。
【請求項６】
前記調節手段は、一方のグリップ部に設けた近接移動用のスイッチを含み、かつその作動により前記駆動部は前記グリップ部を前記着座部に近づけることを特徴とする請求項３乃至５のいずれかに記載の身体引き伸ばし用の椅子。
【請求項７】
前記調節手段は、他方のクリップ部に設けた遠方移動用のスイッチを含み、かつその作動により前記駆動部は前記グリップ部を前記着座部から遠ざけることを特徴とする請求項３乃至６のいずれかに記載の身体引き伸ばし用の椅子。
【請求項８】
前記椅子本体は、腰掛け座部と、この腰掛け座部に対して角度調節自在に折れ曲がる背もたれ部とを含むとともに、
前記グリップ部と前記駆動具とは、前記背もたれ部に設けられてなる請求項１乃至７のいずれかに記載の身体引き伸ばし用の椅子。
【請求項９】
前記椅子本体は、着座者の血行を促進するマッサージ具が設けられてなる請求項１乃至８のいずれかに記載の身体引き伸ばし用の椅子。
【発明の詳細な説明】
【０００１】
【発明の属する技術分野】
本発明は、身体の筋肉を引き伸ばすことにより、肩凝り、腰痛などを緩和するのに役立つ身体引き伸ばし用の椅子に関する。
【０００２】
【従来の技術及び発明が解決しようとする課題】
従来、身体の筋肉などを引き伸ばすことにより、緊張を緩和し肩凝り、腰痛などを和らげるいわゆるぶら下がり健康機などが知られている。このものは、金属製かつ鉄棒状の枠組みからなり、使用者が高所に位置する水平な棒にぶら下がり、自らの体重を利用して身体の筋肉を引き伸ばすものである。
【０００３】
しかしながら、このような健康機では、自らの体重を支える腕力を必要とし、高齢者や女性、病人等にとっては負荷が大きいために使用できない場合がある。また健常者と言えども腕だけでなく腹筋や背筋に大きな負荷が作用しやすく、その結果、継続して使用することが難しい。またこの種の装置では、不使用時には収納場所を必要とし使い勝手の向上も望まれていた。
【０００４】
本発明は、以上のような問題点に鑑み案出なされたもので、着座可能な椅子本体に、着座者が把持可能な両手のグリップ部と、このグリップ部を該椅子本体から遠近に往復移動させる駆動部とを設けることを基本として、着座したままの状態で着座者の腕ないし上体を引き伸ばすことができ、負荷を減じて使い勝手を高めることにより、多くの使用者が利用可能な身体引き伸ばし用の椅子を提供することを目的としている。
【０００５】
【課題を解決するための手段】
本発明のうち請求項１記載の発明は、腰掛け可能な椅子本体と、この椅子本体に設けられかつ着座者が把持可能な両手のグリップ部と、このグリップ部を該椅子本体から遠近に往復移動させる駆動部とを有することを特徴とする身体引き伸ばし用の椅子である。
【０００６】
また請求項２記載の発明は、前記グリップ部は、着座者が両手を緩く挙げた状態で把持しうる位置に設けられてなる請求項１記載の身体引き伸ばし用の椅子である。
【０００７】
また請求項３記載の発明は、前記グリップ部は、前記椅子本体の着座部から最も遠ざかる最遠方位置が変化するととともに、この最遠方位置を調節する調節手段が設けられてなる請求項１又は２記載の身体引き伸ばし用の椅子である。
【０００８】
また請求項４記載の発明は、前記グリップ部は、前記椅子本体の着座部に最も近づく最近接位置が変化するととともに、この最近接位置を調節する調節手段が設けられてなる請求項１乃至３のいずれかに記載の身体引き伸ばし用の椅子である。
【０００９】
また請求項５記載の発明は、前記調節手段は、前記グリップ部の往復移動のストロークを調整しうることを特徴とする請求項３又は４のいずれかに記載の身体引き伸ばし用の椅子である。
【００１０】
また請求項６記載の発明は、前記調節手段は、一方のグリップ部に設けた近接移動用のスイッチを含み、かつその作動により前記駆動部は前記グリップ部を前記着座部に近づけることを特徴とする請求項３乃至５のいずれかに記載の身体引き伸ばし用の椅子。
【００１１】
また請求項７記載の発明は、前記調節手段は、他方のクリップ部に設けた遠方移動用のスイッチを含み、かつその作動により前記駆動部は前記グリップ部を前記着座部から遠ざけることを特徴とする請求項３乃至６のいずれかに記載の身体引き伸ばし用の椅子である。
【００１２】
また請求項８記載の発明は、前記椅子本体は、腰掛け座部と、この腰掛け座部に対して角度調節自在に折れ曲がる背もたれ部とを含むとともに、前記グリップ部と前記駆動具は、前記背もたれ部に設けられてなる請求項１乃至７のいずれかに記載の身体引き伸ばし用の椅子である。
【００１３】
また請求項９記載の発明は、前記椅子本体は、着座者の血行を促進するマッサージ具が設けられてなる請求項１乃至８のいずれかに記載の身体引き伸ばし用の椅子である。
【００１４】
【発明の実施の形態】
以下本発明の実施の一形態を図面に基づき説明する。
図１は本実施形態の身体引き伸ばし用の椅子の全体斜視図、図２はその表面を覆うカバーを取り除いて内部構造を略示する背面側から見た斜視図、図３は図１の縦断面図、図４はその使用状態の一例を示す斜視図である。
【００１５】
図において、本実施形態の身体引き伸ばし用の椅子（以下、単に「椅子」ということがある。）１は、腰掛け可能な椅子本体２と、この椅子本体２に設けられかつ着座者Ｕが把持可能な両手のグリップ部３と、このグリップ部３を該椅子本体２から遠近に往復移動させる駆動部４とを含んで構成される。
【００１６】
前記椅子本体２は、本実施形態では着座者Ｕの臀部が載置される腰掛け座部２ａと、着座者Ｕの背中を支える背もたれ部２ｂと、前記腰掛け座部２ａに固定されかつ荷重を支える脚部２ｃと、着座者Ｕの肘を載置可能な肘掛け部２ｄとを具えたものが例示される。
【００１７】
腰掛け座部２ａは、図２、図３に略示するごとく本例では金属製の枠組２ａ１に、例えばスポンジやウレタンチップなどのクッション材２ａ２を載置して構成されている。前記枠組２ａ１は、本例ではパイプ材などを矩形状に折り曲げて構成される。また枠組２ａ１には、補強板２ｄやクッション材２ａ２を受けるためのメッシュ状の下張り（図示省略）などを適宜設けることができる。
【００１８】
前記背もたれ部２ｂは、例えば金属製の枠組２ｂ１に、クッション材２ｂ２を固着して構成されている。枠組２ｂ１は、本例ではパイプ材を下開放の略コ字状に折り曲げて構成される。またこの枠組２ｂ１には、水平方向にのびる補強枠材２ｅ、２ｆ、２ｇが適宜架設される。また背もたれ部２ｂにも、クッション材２ｂ２を支持するための下張り（図示省略）などを適宜設けることができる。
【００１９】
また図３に示すように、前記クッション材２ｂ２の内部には、本例ではマッサージ具２０が設けられたものを示す。該マッサージ具２０は、レール部２１に沿って着座者Ｕの脊椎に沿って上下に移動する移動体２２と、この移動体に枢支され前後に揺動しうる揺動アーム２３と、この揺動アーム２３の上下端部かつその両側部に枢支された按摩効果を与えるマッサージローラ２４、２５とを含んで構成されている。レール部２１の途中には凸部２６、２６が設けられ、マッサージローラ２０が該凸部２６に乗り上げる際に着座者Ｕ側へと突出し、着座者Ｕに按摩効果を与え血行を促進させる。なおマッサージ具２０としては、このようなローラタイプに代えて又はローラタイプとともに振動子を有するバイブレータタイプとすることもできる。さらには構造の簡略化のため、該マッサージ具２０を省略しても良い。
【００２０】
また図２に示すように、背もたれ部２ｂの枠組２ｂ１の下端部２ｂ１ｅは、前記腰掛け座部２ａの枠組２ａ１から立ち上げた立片８に傾動自在に枢結されるとともに、この枠組２ａ１と枠組２ｂ１とは、いわゆるガス圧式によって無段階にリクライニング可能に枢結されたものを例示する。無段階リクライニング機構は、一端３０ａが枠組２ａ１に枢支されかつ他端３０ｂが枠組２ｂ１に枢支されたガスシリンダ３０と、このガスシリンダ内部のシリンダ室の絞り部を開閉しうる操作レバー３１とを含む。
【００２１】
本例では前記操作レバー３１を押し上げることにより、ガスシリンダ３０を伸縮可能とし背もたれ部２ｂを傾動可能としてその位置を調節するとともに、操作レバー３１を開放することにより、ガスシリンダ３０をロックし該調節された位置で背もたれ部２ｂを固定することができる。本例では腰掛け座部２ａの枠組２ａ１に対して背もたれ部２ｂの枠組２ｂ１を例えば１００ないし１６５゜程度の角度範囲で折り曲げ自在かつその状態で保持することができる。これにより、本実施形態の椅子本体２は、腰掛け座部２ａと、背もたれ部２ｂとが角度調節自在に折れ曲がりでき種々の腰掛け状態が可能となる。なおこのような無段階式のリクライニング機構に代えて、例えばラチェット式のリクライニングギアなどを用いて多段階に調節することもでき、さらにはリクライニング機構を省略しても良い。
【００２２】
また背もたれ部２ｂの背面かつ上部側には、本例では角筒状で上下にのびるガイド部７が固着されている。ガイド部７は、例えばその下端部が連結板９を介して前記補強材２ｅに固着されるとともに、上端部側を枠組２ｂ１に例えば溶着されて該枠組２ｂ１と一体化される。
【００２３】
前記グリップ部３は、図２、図４に示すように、着座者Ｕの両手それぞれが把持する一方のグリップ部３ａと、他方のグリップ部３ｂとが含まれる。本例では図２に示すように、一方のグリップ部３ａと他方のグリップ部３ｂとは、前記ガイド部７に挿入されることにより、該ガイド部７に沿って上下にスライド可能かつ背もたれ部２ｂよりも上部に突出したスライド枠６の上端部両側に固着されたものを示す。またグリップ部３は、例えばゴム、スポンジなどで外周面を形成する他、外周面に微細な凹凸などを設けて手指との摩擦を高めることが滑り止め防止の観点から望ましい。
【００２４】
本例のグリップ部３は、図４の如く、着座者Ｕが両手を緩く挙げた状態で把持しうる位置に設けられている。この状態は、着座して両手を自然に上に挙げた状態の全般を指し、肘が真っ直ぐであるか否かは問わない。つまり、着座者Ｕが体に無理な力を掛けずに両手を自然に上に挙げた状態で把持しうる位置にグリップ３が設けられていることが好ましいものである。また本例ではグリップ部３の軸線が小さな湾曲を除きほぼ水平かつ椅子本体の巾方向に沿って位置するものを例示している。この場合、着座者Ｕは、手を挙げた際に手首などをねじることなくより自然な状態でグリップ部３を把持することが可能となる点で好ましい。ただし、このような態様に限定するものではない。
【００２５】
前記駆動部４は、本実施形態では、背もたれ部２ｂの枠組２ｂ１の背面に固着された電動アクチュエータＥからなるものを示す。該電動アクチュエータＥは、電動機４ａと、この電動機４ａと一体に固定されたウォーム減速部を内蔵したギアケース４ｂと、該ギアケース４ｂから突出してのびかつ減速されたトルクを直線運動に変換するボールねじ部を内挿したシリンダ部４ｃと、このシリンダ部４ｃに対して伸縮しうるロッド４ｄとを含んで構成される。そしてこのロッド４ｄの上端部は、前記スライド枠６の下端に連結されている。また本実施形態では、前記ロッド４ｄの伸長長さを検知しうるロッドセンサ（図示せず）が設けられており、その検知信号は後述する制御部５ａに入力されている。
【００２６】
図５には、前記駆動部４のロッド４ｄとスライド枠６との連結部を分解して示し、図６にはその連結時のＩ−Ｉ断面を示している。ロッド４ｄには、その先端部に長手方向と直交する向きで貫通した取付孔４ｄｉが形成されている。他方、前記スライド枠６は、その下端部に一方の側面から他方の側面に貫通してのびる取付孔１２が形成されている。本例の取付孔１２は、高さを違えた複数個、具体的には第１ないし第３の取付孔１２ａ、１２ｂ、１２ｃを含むものが例示されている。さらに前記ガイド筒７には、その両側面に、上下にのびる長孔状のガイド溝７Ｇが形成されている。
【００２７】
前記ロッド４ｄの先端部は、ガイド筒７の内部でスライド枠６に挿入され、かつ両部材の取付孔４ｄｉ、取付孔１２の軸芯を揃えるとともに、ボルト１５、ダブルナット１６、１７を用いて連結される。またボルト１５は、図６に示すようにガイド筒７の一方の側面のガイド溝７Ｇから挿入されてスライド枠６、ロッド４ｄをともに貫通し、他方の側面のガイド溝７Ｇから突出するねじ軸部にロッド４ｄが上下に移動しうるよう遊びを有してダブルナット１６，１７を締め付けする。なおこのように、グリップ部３、スライド枠６及び駆動部４はいずれも背もたれ部２ｂの背面に取り付けられているため、該背もたれ部２ｂを折り曲げでき、かつそのような種々のリクライニング状態としても何ら支承無く使用できる。そして、椅子本体２は、カバーＣによって略全体が覆われることによって、スライド枠６や、駆動部４などが外部から目隠しされる。またカバーＣは、グリップ部３の移動に伴い容易に変形しうるよう、ゴム等からなる伸縮部Ｃａが設けられている。
【００２８】
また本実施形態の椅子１は、前記駆動部４を制御する調整手段５が設けられているものが例示される。該調整手段５は、図２に示すように、本実施形態では、制御部５ａと、着座者Ｕによって操作されるリモートコントロール部（以下、「リモコン部」という）５ｂとを含んで構成されたものを示す。
【００２９】
前記リモコン部５ｂは、前記制御部５ａと信号線により接続された有線式であって、椅子本体２に着座して操作可能に設けられている。またリモコン部５ｂは、例えば図７に示すように、マッサージ具２０のオン、オフを操作するスイッチＳ１、グリップ部３を往復動させて身体引き伸ばし運動をオン、オフを操作するスイッチＳ２、グリップ部３が椅子本体２の着座部に最も近づく最近接位置を本例では高、中、低（例えば図８に示す予め設定された位置Ｐ１〜Ｐ３にそれぞれ対応）の３段階の位置から選択するスイッチＳ３、Ｓ４、Ｓ５、グリップ部３が椅子本体２の着座部から最も離間する最遠方位置を本例では高、中、低（例えば図８に示す予め設定された位置Ｐ４〜Ｐ６にそれぞれ対応）の３段階の位置から選択するスイッチＳ６、Ｓ７、Ｓ８などが設けられた操作部１２を有している。各スイッチＳ１〜Ｓ８の信号は制御部５ｂへと入力される。
【００３０】
本例の制御部５ａは、制御回路を有し、箱状のユニットとして収められ、腰掛け座部２ａの枠組２ａ１に取付片１１を介して固定されたものを示す。なおこの制御部５ａには、交流電源を所定の直流に変換して電動機４ａに供給するトランス（図示省略）がともに収納されている。
【００３１】
また制御部５には、前記ロッドセンサからのストローク信号が常時入力されている。例えば前記リモコン部５ｂで最近接位置が「低」かつ最遠方位置が「高」が選択されると、制御部５ａはこれらの設定値をメモリに記憶し、図８に示すロッド４ｄのストローク始端を予め設定されている最も低い位置ＳＳ１に設定するとともに、ストローク終端を予め設定されている最も高い位置ＳＥ３に設定する。従って、この場合、ロッド４ｄは、位置ＳＳ１と位置ＳＥ３との間で往復移動することになる。一方、前記状態から最近接位置が「高」に設定し直されると、制御部５ａはこの設定値をメモリし、図８に示すロッド４ｄのストローク始端を予め設定されている最も高い位置ＳＳ３に設定する。従って、この場合では、ロッド４ｄは、位置ＳＳ３と位置ＳＥ３との間で往復移動することになり、位置ＳＳ３よりも縮むことが禁止される。
【００３２】
以上のように構成された椅子１の使用方法の一例について図９に示すフローチャートに基づき説明する。初期状態として、最近接位置、最遠方位置がスイッチＳ３〜Ｓ８で予め設定されておりかつグリップ部３は、リモコン部５ｂのスイッチＳ３〜Ｓ５で設定された最近接位置にあるものとする。先ず、椅子本体２に着座した着座者Ｕがリモコン部５ｂを操作し、引き伸ばし運動のスイッチＳ２をオンにすると、制御部５ａでは、タイマー遅延処理を行う（ステップＳＴ１）。即ち、スイッチＳ２が操作されてから一定時間（例えば数十秒）をカウントする。この時間を利用して着座者Ｕは、例えばリモコン部５ｂを膝上などに置き、手を挙げてグリップ部３を把持する動作をとることができる。
【００３３】
次に、制御部５ａは、リモコン部５ｂのスイッチＳ６〜Ｓ８のいずれかで設定された最遠方位置にグリップ部３を移動させて停止させる（ステップＳＴ２）。これは、現在のロッド４ｄの位置と、前記設定された最遠方位置との偏差に基づき、所定の向きで電動機４ａを回転させてロッド４ｄを伸長させることにより、スライド枠６を介してグリップ部３を押し上げることにより行われる。しかる後、制御部５ｂはタイマー遅延処理を行いその状態を保持する（ステップＳＴ３）。グリップ３の移動は、ウォーム減速機によって非常にゆっくりと行われる。例えば８〜１５ｍｍ／秒程度が好適である。図１０には、グリップ３が椅子本体２の着座部から最も離間した最遠方位置を示す。この状態では、着座者Ｕの肘が完全にのびかつ腕を介して上体に引き伸ばし力が作用する状態に設定するのが望ましい。このような引き伸ばし力は、肩、背中、腰といった各部の筋肉をタイマー遅延処理で定められた一定時間をかけて引っ張り、緊張を緩和し血行を促進するなど肩凝り、腰痛などの改善に効果が期待できる。そして、同時にマッサージ具２０を駆動した場合には、筋肉の引き伸ばしを行いつつマッサージ効果を与えることができ、これらの相乗作用によって、さらに血行を促進し健康増進を図る。
【００３４】
次に、制御部５ａは、タイマー遅延処理として一定時間をカウントし終えると、再び前記設定された最近接位置にグリップ部３を移動させ（ステップＳＴ４）、さらにタイマー遅延処理を行う（ステップＳＴ５）。これで引き伸ばし運動の１サイクルを終える。そして、制御部５ａでは、予め設定されたｎサイクル（ｎは２以上が好ましい）が既に終えたか否かを判断し、Ｎｏの場合にはステップＳＴに戻りサイクルを繰り返す。Ｙｅｓの場合には処理を終える。このように、グリップ部３の移動を自動化する作動モードを、本明細書ではオートモードと呼ぶ。なお、ｎサイクルの判断に代えて、タイマーをカウントし、一定時間が経過するまでグリップ部３を往復動させるものでも良い。
【００３５】
本実施形態の椅子１では、調整手段５によって、図８に示すように、グリップ部３の最遠方位置、最近接位置をそれぞれ複数の高さから選択でき、本例では９通りの設定が可能である。従って、着座者Ｕの身長ないし座高といった体型に応じてグリップ部３の高さを自在に調節でき、汎用性を高めるのに役立つ。これらの最遠方位置、最近接位置の調整は、前述の如く、電動アクチュエータＥのロッド４ｄのストローク長さ、ストローク終端、ストローク始端の１以上を変えることにより行うことができる。
【００３６】
また本実施形態の椅子本体２は、背もたれ部２ｂを大きく倒して水平に近づけたリクライニング状態をとりうるため、このような状態で前記引き伸ばし運動を行うこともできる。この場合、着座者Ｕの上体の荷重がより多く背もたれ部に作用するため、着座者Ｕの背中と背もたれ部との摩擦力が大きくなり、グリップ部３の最遠方位置を小さくしても十分な引き伸ばし作用が発揮できる。さらに本実施形態の椅子本体２は、脚部２ｃを有するものを例示したが、椅子本体２はこのような形状に限定されるものではなく、例えば脚部２ｃを無くした座椅子状で構成することも勿論可能である。
【００３７】
またグリップ部３の移動に際して、ロッド４ｄとスライド枠６とを連結した前記ボルト１６のねじ軸部は、ガイド筒７のガイド溝７Ｇによって案内される。これにより、スライド枠６の偏心やガタツキ、さらにはガイド筒７とのこじれ等を防止でき、円滑に動作させることが可能となる。また本例のように、例えばスライド枠６側に高さ方向に位置を違えて複数個の取付孔１２を設けているため、ロッド４ｄと該スライド枠６との連結位置を異ならせることができる。これによっても最近接位置を調節できる。従って、グリップ部３の最遠方位置だけをリモコン部５ｂで設定しうるようにしても良い。
【００３８】
図１１には、本発明の他の実施形態を示す。
この実施形態では、調節手段５は、一方のグリップ部３ａに設けた近接移動用のスイッチＳｄと、他方のクリップ部３ｂに設けた遠方移動用のスイッチＳｕと、これらのスイッチにより駆動部５の制御を行う制御部５ａ（図示省略）とを含むものが示されている。前記各スイッチＳｄ、Ｓｕは、いずれも着座者Ｕがグリップ部３を把持した状態において手指（本例では各手の親指）により操作可能な位置に設けられている。従って、この実施形態では、着座者Ｕがグリップ部３を把持したまま該グリップ部３の高さを着座者の好みに応じてコントロールするもので、前記オートモードとは異なるいわゆるセルフモードとなり、より操作性を高めることができる点で好ましい。なお各スイッチＳｕ又はＳｄを押している間、グリップ部３は移動し、スイッチＳｕ、Ｓｄから手を離すと停止できる。また緊急用として、スイッチＳｕ、Ｓｄを同時押しすることにより、グリップ部３を停止できる。
【００３９】
図１２には、さらに本発明の他の実施形態として、リモコン部５ｂを例示している。なおこの例では、身体引き伸ばし運動を操作するリモコン部として構成されたものを示す。これは、既存のマッサージ椅子を改造してグリップ部などをいわゆる後付するのに便利となる。該リモコン部５ｂは、身体引き伸ばし運動をオンオフするメインスイッチ４０を有する。該メインスイッチ４０は、特に限定はされないが、本例では動作を停止させる「切」、前記セルフモードを実行する「セルフモード」、前記オートモードを実行する「オートモード」の３種の位置から一つをスライドにより切り替え可能なスライド式のスイッチが用いられたものを例示している。
【００４０】
前記メインスイッチ４０により「セルフモード」が選択されると、着座者Ｕが独自に操作する前記近接移動スイッチＳｕ、遠方移動用スイッチＳｄの操作によってグリップ部３が移動する。これは前記の場合と同じである。またメインスイッチ４０により、「オートモード」が選択されると、着座者Ｕによって最遠方位置の高さ調節が可能になる。最遠方位置の高さ調節は、タッチスイッチ４１により行われ、その結果は発光ダイオードからなる表示部４２に表示される。タッチスイッチ４１は１度押す毎にオートモードの最遠方位置を位置１〜位置４の間で切り替わり４段階に調節可能なものが示される。そして、その最遠方位置の高さ位置の数字に対応する表示部４２ａないし４２ｄのいずれかが発光しうる。
【００４１】
本実施形態では、最近接位置を予め定めた位置とし、前記ロッド４ｄのストローク長さを違えることにより最遠方位置の高さが調節されるものを例示する。具体的には、前記ストローク長さを２５０ｍｍ、２００ｍｍ、１５０ｍｍ及び１００ｍｍの４段階に予め設定している。ただし、これに限定されるものではない。そして、オートモードかつ最遠方位置の高さが例えば位置１に設定されると、制御部５ａは、電動アクチュエータＥのロッド４ｄを予め定めたストローク始端から２５０ｍｍのストロークでゆっくりと往復移動を開始し、所定の時間、例えば５分間程度往復移動を繰り返した後、終了させる。
【００４２】
以上本発明の実施形態について説明したが、本実施形態はあくまで一例であって、着座者Ｕの身体を引き延ばすことができれば、制御部による制御手順や具体的な形状、グリップ部３のデザインなどは本発明の要旨を逸脱しない範囲において種々変更しうるのは言うまでもない。
【００４３】
【発明の効果】
上述したように、本発明の身体引き伸ばし用の椅子では、椅子本体に腰掛けたまま身体を駆動部によって引き伸ばすことができる。従って、使用者の腕などへの負担を減じ、女性や高齢者などでも無理なく使用が可能になる。また移動具の不使用時には、椅子として利用できるため収納場所に困らず使い勝手が向上する。
【図面の簡単な説明】
【図１】本発明の身体引き伸ばし用の椅子の一実施形態を示す全体斜視図である。
【図２】その内部構造を略示する背面から見た斜視図である。
【図３】図１の縦断面図である。
【図４】身体引き伸ばし用の椅子の使用状態を示す斜視図である。
【図５】グリップ部とスライド枠との連結部を分解して示す斜視図である。
【図６】そのＩ−Ｉ断面図である。
【図７】リモコン部の一例を示す正面図である。
【図８】グリップ部の最近接位置、最遠方位置を説明する椅子の側面略図である。
【図９】本実施形態の作動例を説明するフローチャートである。
【図１０】本実施形態の使用例を示す全体斜視図である。
【図１１】調整手段の他の実施形態を示すグリップ部近傍の部分正面図である。
【図１２】調整手段の他の実施形態を示す正面図である。
【符号の説明】
１　身体引き伸ばし用の椅子
２　椅子本体
２ａ　腰掛け座部
２ｂ　背もたれ部
３　移動部
４　駆動部
４ａ　電動機
４ｄ　ロッド
５　調整手段
５ａ　制御部
５ｂ　リモコン部
【図１】
2004024339.tif 000003
【図２】
2004024339.tif 000004
【図３】
2004024339.tif 000005
【図４】
2004024339.tif 000006
【図５】
2004024339.tif 000007
【図６】
2004024339.tif 000008
【図７】
2004024339.tif 000009
【図８】
2004024339.tif 000010
【図９】
2004024339.tif 000011
【図１０】
2004024339.tif 000012
【図１１】
2004024339.tif 000013
【図１２】
2004024339.tif 000014